(57)【特許請求の範囲】
【請求項１】
大きさの異なる円盤状のディスクおよびカートリッジに内蔵された状態のカートリッジ内蔵ディスクを装置内に搬送しターンテーブル上に装填し、前記ターンテーブル上の前記各ディスクの排出を行うディスク装置において、
前記円盤状のディスクに記録された情報を読取る光ピックアップと、
前記円盤状のディスクおよびカートリッジ内蔵ディスクの挿入により動作する駆動モータと、
該駆動モータにより駆動されるギアユニットと、
前記駆動ギアユニットを経由して前記駆動モータの駆動力により駆動する搬送ローラを有し、該円盤状のディスクの取り込み、および排出を行う搬送ローラを有したＣＤ搬送機構と、
前記ギアユニットを経由した前記駆動モータの駆動力によりスライドするスライド板と、クランプレバーを軸支する前記クランプレバー支持部材とを有し、前記円盤状のディスクがターンテーブルにクランプされない位置においては前記スライド板および前記クランプレバー支持部材の一部が係合して前記クランプレバーによる前記円盤状のディスクのクランプを抑制し、前記円盤状のディスクがクランプする位置へ取り込まれると前記スライド板および前記クランプレバー支持部材の一部の係合が解除され、前記クランプレバー支持部材に軸支された前記クランプレバーが回動して前記円盤状のディスクをクランプするクランプ機構と、
前記カートリッジ内蔵ディスクをターンテーブルへ載置するＭＤ載置機構と、前記装置内で前記カートリッジ内蔵ディスクを支持するＭＤホルダとを含む搬送機構と、
前記ギアユニットを経由して前記駆動モータの駆動力により駆動する中間部材を有し、前記中間部材および前記クランプレバーの一部の係合により、前記カートリッジ内蔵ディスクの挿入時、前記クランプレバーを障害とならない後部位置へ回動させ、前記カートリッジ内蔵ディスクの排出時に前記クランプレバーを前記円盤状のディスクのクランプ可能位置である初期位置へ回動させ復帰させるクランプレバー待避機構と、
前記クランプレバーにリンク機構により連結されたホルダ引き込みレバーを有し、前記クランプレバーの待避に伴って前記ホルダ引き込みレバーを介して前記ＭＤホルダを引き込んで前記装置内へ前記カートリッジ内蔵ディスクを取り込み、前記クランプレバーの前記初期位置への復帰に伴って前記ホルダ引き込みレバーを介して前記ＭＤホルダを引き出して前記装置内から前記カートリッジ内蔵ディスクを排出するＭＤ搬送機構と、
前記ＣＤ搬送機構の前記搬送ローラを支持し、前記スライド板の移動に伴って上下する昇降アームを有し、前記スライド板および前記昇降アームの一部の係合状態により、前記円盤状のディスクの前記装置内への取り込み時には前記昇降アームを介して前記搬送ローラの位置を前記円盤状のディスクの挿入時の初期位置よりも下方および光ピックアップよりもディスク挿入側に移動させ、前記円盤状のディスクの排出時には前記昇降アームを介して前記搬送ローラの位置を前記円盤状のディスクの挿入時の初期位置に復帰させる搬送ローラ移動機構とを備えていることを特徴とするディスク装置。
【請求項２】
上下に回動するレバーを有し、スライド板および前記レバーの一部の係合状態により、円盤状のディスクの装置外への取り出し時にＣＤ搬送機構の搬送ローラの位置を前記円盤状のディスクの挿入時の初期位置へ復帰させる際、前記レバーが回動して前記円盤状のディスクの前記搬送ローラと当接する周辺部を、前記円盤状のディスクの下方より前記搬送ローラが前記初期位置へ復帰する方向へ持ち上げ、前記復帰する搬送ローラが前記円盤状のディスクのエッジへ突き当たるのを回避する搬送ローラ突き当たり回避機構を備えていることを特徴とする請求項１記載のディスク装置。
【発明の詳細な説明】
【技術分野】
【０００１】
この発明は、外径の異なる円盤状のディスクやカートリッジに内蔵された状態で用いられるカートリッジ内蔵ディスクなどに共通して使用できるディスク装置に関するものである。
【背景技術】
【０００２】
第１図は、従来のディスク装置、特に外径の異なるディスクを共通使用できるディスク装置における光ピックアップ部のスライド送り機構の構造を示す斜視図である。図において、２０１はＣＤ（コンパクトディスク）、２０１ａはピット、２０２は光ピックアップ、２０３は支点、２０４はスイングアーム、２０５はトラッキングコイル、２１１は対物レンズ、２１２はコリメートレンズ、２１３はくさび付きプリズム、２１４は直角プリズム、２１５はレーザダイオード、２１６はフォトダイオード、２２１はディスクモータ、２３１はＣＤ２０１の搬送用のローラである。
【０００３】
次に、動作について説明する。
このディスク装置では、スイングアーム２０４の先端部に設けられた光ピックアップ２０２が支点２０３を中心に円弧状の軌跡を描き、ピックアップ全体がＣＤ２０１の裏側で移動しトラッキングを行う。この場合、矢印Ｂ−Ｂ゛で示す円弧状の軌跡上をピックアップ全体が動く方向は、矢印Ａ−Ａ゛で示すＣＤ２０１の搬送方向（挿脱方向）と直交する方向である。
【０００４】
また、ＣＤ２０１が記録／再生位置へ位置決めされた後には、ローラ２３１はＣＤ２０１の裏面から離脱した状態にする必要がある。これを実現する構造としては、特許文献１に開示されているように、ターンテーブルを上昇させるものがある。
【０００５】
【特許文献１】
特開平８−８７７９６号公報
【発明の開示】
【発明が解決しようとする課題】
【０００６】
従来のディスク装置は以上のように構成されているので、ＣＤ２０１が記録／再生位置へ位置決めされた後、ローラ２３１がＣＤ２０１の裏面から離脱した状態にするための構造が複雑化する。
【０００７】
このため、前記構造を簡略化し、かつ異なった外径のディスクの搬送について高い信頼性を確保する目的で、ローラ２３１が下降する際の軌跡が円弧を描くようにしてローラ２３１がＣＤ２０１の裏面でディスクモータ２２１の方向で昇降可能にする構成も考えられるが、ＣＤ２０１の裏面には光ピックアップ２０２などが配置されていることから、ディスクモータ２２１の方向で昇降可能にすることが出来ず、構造の簡略化および異なった外径のディスクの搬送についての高い信頼性の確保が難しい課題があった。
【０００８】
この発明は上記のような課題を解決するためになされたもので、簡略化された構造で外径の異なる円盤状のディスクやカートリッジに内蔵されたカートリッジ内蔵ディスクの共用を可能にし、かつ異なった外径のディスクの搬送を高い信頼性で可能にするディスク装置を得ることを目的とする。
【課題を解決するための手段】
【０００９】
この発明に係るディスク装置は、円盤状のディスクに記録された情報を読取る光ピックアップと、前記円盤状のディスクおよびカートリッジ内蔵ディスクの挿入により動作する駆動モータと、該駆動モータにより駆動されるギアユニットと、前記駆動ギアユニットを経由して前記駆動モータの駆動力により駆動する搬送ローラを有し、該円盤状のディスクの取り込み、および排出を行う搬送ローラを有したＣＤ搬送機構と、前記ギアユニットを経由した前記駆動モータの駆動力によりスライドするスライド板と、クランプレバーを軸支する前記クランプレバー支持部材とを有し、前記円盤状のディスクがターンテーブルにクランプされない位置においては前記スライド板および前記クランプレバー支持部材の一部が係合して前記クランプレバーによる前記円盤状のディスクのクランプを抑制し、前記円盤状のディスクがクランプする位置へ取り込まれると前記スライド板および前記クランプレバー支持部材の一部の係合が解除され、前記クランプレバー支持部材に軸支された前記クランプレバーが回動して前記円盤状のディスクをクランプするクランプ機構と、前記カートリッジ内蔵ディスクをターンテーブルへ載置するＭＤ載置機構と、前記装置内で前記カートリッジ内蔵ディスクを支持するＭＤホルダとを含む搬送機構と、前記ギアユニットを経由して前記駆動モータの駆動力により駆動する中間部材を有し、前記中間部材および前記クランプレバーの一部の係合により、前記カートリッジ内蔵ディスクの挿入時、前記クランプレバーを障害とならない後部位置へ回動させ、前記カートリッジ内蔵ディスクの排出時に前記クランプレバーを前記円盤状のディスクのクランプ可能位置である初期位置へ回動させ復帰させるクランプレバー待避機構と、前記クランプレバーにリンク機構により連結されたホルダ引き込みレバーを有し、前記クランプレバーの待避に伴って前記ホルダ引き込みレバーを介して前記ＭＤホルダを引き込んで前記装置内へ前記カートリッジ内蔵ディスクを取り込み、前記クランプレバーの前記初期位置への復帰に伴って前記ホルダ引き込みレバーを介して前記ＭＤホルダを引き出して前記装置内から前記カートリッジ内蔵ディスクを排出するＭＤ搬送機構と、前記ＣＤ搬送機構の前記搬送ローラを支持し、前記スライド板の移動に伴って上下する昇降アームを有し、前記スライド板および前記昇降アームの一部の係合状態により、前記円盤状のディスクの前記装置内への取り込み時には前記昇降アームを介して前記搬送ローラの位置を前記円盤状のディスクの挿入時の初期位置よりも下方および光ピックアップよりもディスク挿入側に移動させ、前記円盤状のディスクの排出時には前記昇降アームを介して前記搬送ローラの位置を前記円盤状のディスクの挿入時の初期位置に復帰させる搬送ローラ移動機構とを備えるようにしたものである。
【００１０】
この発明に係るディスク装置は、下に回動するレバーを有し、スライド板および前記レバーの一部の係合状態により、円盤状のディスクの装置外への取り出し時にＣＤ搬送機構の搬送ローラの位置を前記円盤状のディスクの挿入時の初期位置へ復帰させる際、前記レバーが回動して前記円盤状のディスクの前記搬送ローラと当接する周辺部を、前記円盤状のディスクの下方より前記搬送ローラが前記初期位置へ復帰する方向へ持ち上げ、前記復帰する搬送ローラが前記円盤状のディスクのエッジへ突き当たるのを回避する搬送ローラ突き当たり回避機構を備えるようにしたものである。
【発明の効果】
【００１１】
この発明に係るディスク装置は、円盤状のディスクに記録された情報を読取る光ピックアップと、前記円盤状のディスクおよびカートリッジ内蔵ディスクの挿入により動作する駆動モータと、該駆動モータにより駆動されるギアユニットと、前記駆動ギアユニットを経由して前記駆動モータの駆動力により駆動する搬送ローラを有し、該円盤状のディスクの取り込み、および排出を行う搬送ローラを有したＣＤ搬送機構と、前記ギアユニットを経由した前記駆動モータの駆動力によりスライドするスライド板と、クランプレバーを軸支する前記クランプレバー支持部材とを有し、前記円盤状のディスクがターンテーブルにクランプされない位置においては前記スライド板および前記クランプレバー支持部材の一部が係合して前記クランプレバーによる前記円盤状のディスクのクランプを抑制し、前記円盤状のディスクがクランプする位置へ取り込まれると前記スライド板および前記クランプレバー支持部材の一部の係合が解除され、前記クランプレバー支持部材に軸支された前記クランプレバーが回動して前記円盤状のディスクをクランプするクランプ機構と、前記カートリッジ内蔵ディスクをターンテーブルへ載置するＭＤ載置機構と、前記装置内で前記カートリッジ内蔵ディスクを支持するＭＤホルダとを含む搬送機構と、前記ギアユニットを経由して前記駆動モータの駆動力により駆動する中間部材を有し、前記中間部材および前記クランプレバーの一部の係合により、前記カートリッジ内蔵ディスクの挿入時、前記クランプレバーを障害とならない後部位置へ回動させ、前記カートリッジ内蔵ディスクの排出時に前記クランプレバーを前記円盤状のディスクのクランプ可能位置である初期位置へ回動させ復帰させるクランプレバー待避機構と、前記クランプレバーにリンク機構により連結されたホルダ引き込みレバーを有し、前記クランプレバーの待避に伴って前記ホルダ引き込みレバーを介して前記ＭＤホルダを引き込んで前記装置内へ前記カートリッジ内蔵ディスクを取り込み、前記クランプレバーの前記初期位置への復帰に伴って前記ホルダ引き込みレバーを介して前記ＭＤホルダを引き出して前記装置内から前記カートリッジ内蔵ディスクを排出するＭＤ搬送機構と、前記ＣＤ搬送機構の前記搬送ローラを支持し、前記スライド板の移動に伴って上下する昇降アームを有し、前記スライド板および前記昇降アームの一部の係合状態により、前記円盤状のディスクの前記装置内への取り込み時には前記昇降アームを介して前記搬送ローラの位置を前記円盤状のディスクの挿入時の初期位置よりも下方および光ピックアップよりもディスク挿入側に移動させ、前記円盤状のディスクの排出時には前記昇降アームを介して前記搬送ローラの位置を前記円盤状のディスクの挿入時の初期位置に復帰させる搬送ローラ移動機構とを備えるようにしたものである。
この構成によって、外径の異なる円盤状のディスクやカートリッジに内蔵されたカートリッジ内蔵ディスクの共用、および異なる外径の円盤状のディスクの搬送を簡単な構成で高い信頼性を確保しつつ実現できる効果を奏する。
【００１２】
この発明に係るディスク装置は、下に回動するレバーを有し、スライド板および前記レバーの一部の係合状態により、円盤状のディスクの装置外への取り出し時にＣＤ搬送機構の搬送ローラの位置を前記円盤状のディスクの挿入時の初期位置へ復帰させる際、前記レバーが回動して前記円盤状のディスクの前記搬送ローラと当接する周辺部を、前記円盤状のディスクの下方より前記搬送ローラが前記初期位置へ復帰する方向へ持ち上げ、前記復帰する搬送ローラが前記円盤状のディスクのエッジへ突き当たるのを回避する搬送ローラ突き当たり回避機構を備えるようにしたものである。
この構成によって、円盤状のディスクの挿入時の初期位置へ復帰する搬送ローラと円盤状のディスクの面とが、前記搬送ローラが前記初期位置へ復帰する際に前記ディスクのエッジに突き当たることなく当接することが可能になり、異なった外径の円盤状のディスクの搬送についての信頼性を向上できる効果を奏する。
【発明を実施するための最良の形態】
【００１３】
実施の形態１．
第２図は、この発明の実施の形態１によるディスク装置の構成を立体的に示す構造図、第３図は第２図に示したディスク装置の内部構成部材を省いた状態の視点を変えた構造図である。これらの図において、１は挿入されたディスクが８センチＣＤ（以下、小径ディスクという）である場合に、その小径ディスクの周囲側面部と当接する小径ディスク当接ピン、２は挿入されたディスクが１２センチＣＤ（以下、大径ディスクという）である場合に、その大径ディスクの周囲側面部と当接する大径ディスク当接ピンである。
３は前記小径ディスク当接ピン１および大径ディスク当接ピン２を有し、図示していない支点３ｂを中心に回動可能に構成されたレバー、３ａはレバー３の一端に構成された係合片である。
【００１４】
４は係合片４ａが構成された第１スライド板である。この第１スライド板４は矢印ｅおよび矢印Ｅ方向へスライド可能に構成されている。また、この第１スライド板４には第３図に示すようにラック部８が形成されており、矢印ｅ方向へスライドするとギア９と噛み合うように構成されている。さらに、この第１スライド板４には、第３図に示すようにピン５が形成され、第２スライド板６のスリット７と係合している。
６は第２スライド板であり、矢印ｅおよび矢印Ｅ方向にスライド可能に構成されている。この第２スライド板６には、第３図に示すようにラック部１０が形成されており、矢印ｅ方向へスライドするとギア９と噛み合うように構成されている。この第２スライド板６には、さらに、ピン１５、図示していないピン、前記スリット７およびＳ字形状の長孔５５などが形成されている。
【００１５】
第２図に示す符号Ｇはギアユニット、１１は搬送ローラである。搬送ローラ１１は、図示していない駆動モータによる回転がギアユニットＧを介して伝達され、小径ディスク、大径ディスクおよびカートリッジ内蔵ディスク（以下、ＭＤという）の挿入時と排出時に応じて正逆回転可能に構成されている。このため、搬送ローラ１１の軸の一端にはギアＧ２が固定され、このギアＧ２はギアユニットＧを構成するギアのうちの１つであるギアＧ１と噛み合っている。
【００１６】
１２は搬送ローラ１１を両端で回動可能に支持している搬送ローラ支持レバーであり、ギアユニットＧを構成するギアＧ１の回転軸を共有して回動自在に軸支されている。
１３は搬送ローラ支持レバー１２を矢印Ｙおよび矢印ｙ方向に回動させ、搬送ローラ１１を昇降させるための昇降アームである。この昇降アーム１３は第８図に示すようにピン１４が構成されたＬ字形状の延長部１３ａを有しており、軸１３ｂを中心にして矢印Ｃおよび矢印ｃ方向に回動可能に構成されている。また、この延長部１３ａに構成された前記ピン１４は、第３図に示す第２スライド板６のＳ字形状の長孔５５と係合している。
【００１７】
１７は先端にクランパー１９を備えたクランプレバーである。このクランプレバー１７は第３図に示す回転軸２９を中心にして第２図に示す矢印ｆ方向へ回動可能に構成されている。また、このクランプレバー１７にはＬ字形状の長孔３２が形成されている。
１７ａはクランプレバー１７が矢印ｆ方向に回動可能な状態で支持するための第３図に示す回転軸２９を備えたクランプレバー支持部材である。このクランプレバー支持部材１７ａは、第３図に示すように回動軸１８を中心にして矢印Ｄおよび矢印ｄ方向へ回転可能に構成されている。また、このクランプレバー支持部材１７ａには前記ピン１５と係合するカム面１６が形成されている。
【００１８】
第２図において２６は第３スライド板である。この第３スライド板２６には、Ｓ字形状の長孔４９とラック部２７とが形成されており、矢印ｅおよび矢印Ｅ方向にスライド可能に構成されている。
３３は長孔３８が形成された連動レバーであり、回動中心となる軸３０を中心にして回転可能に構成されている。また、この連動レバー３３の先端部には、クランプレバー１７のＬ字形状の長孔３２と係合するピン３１が構成されている。
【００１９】
第４図は、第２図に示したディスク装置において第３スライド板２６を取り外した状態のギアユニットＧ側から見た側面図である。なお、この側面図においては中継部材４７も省略されている。図において５６はギアユニットＧなどの取り付け板、５９および６０は長孔である。
４８は第６図に示す中継部材４７に構成されたピンであり、第２図に示すように前記Ｓ字形状の長孔４９と係合している。
５２は第５図に示す中間部材であり、ピン５７，５８と円弧形状の長孔５１が形成されている。
【００２０】
第７図は、この発明の実施の形態１によるディスク装置において大径ディスクを挿入したときの構成を立体的に示す構造図である。第７図において第２図と同一または相当の部分については同一の符号を付し説明を省略する。この第７図は、第２図に示した第３スライド板２６を省略し、第３スライド板２６の裏側に配置されている中継部材４７が明確になるようにしたものである。図において、２００は大径ディスク、Ｓはレバー３の小径ディスク当接ピン１が構成された先端部を、支点３ｂを中心にして時計方向へ付勢するバネである。
【００２１】
第８図は、この実施の形態１のディスク装置の構成を示す側面図である。
第９図は、搬送ローラ１１が小径ディスク裏面へ当接し、小径ディスクを搬送する際に、小径ディスクの搬送ローラ当接側の周辺部を上方へ持ち上げることで、小径ディスクのエッジに搬送ローラ１１が突き当たることのないようにするための構成を立体的に示す構造図である。図において、２１は第２スライド板６に設けられたピン、２２はＣＤ押し上げレバーである。このＣＤ押し上げレバー２２にはカム面２２ａが形成されており、このカム面２２ａに前記ピン２１が当接することで、ＣＤ押し上げレバー２２は軸２３を中心にして矢印Ｍおよび矢印ｍ方向へ回動可能に構成されている。
【００２２】
第１０図はＣＤ（大径ディスク）２００の中心がターンテーブル上まで搬送された状態を立体的に示すこの実施の形態１のディスク装置の構造図である。
第１１図は、ＭＤを装填する際に機能する構成部材を追加したこの実施の形態１のディスク装置の構成を立体的に示す構造図である。なお、第１１図において第２図と同一または相当の部分については同一の符号を付し説明を省略する。図において、２４はＭＤ、２４ａはカートリッジ内のディスクを露出させるためのスライド蓋、２５はＭＤホルダ、３６はＭＤホルダ２５に形成された長孔、３９はホルダ引き込みレバー、３４はホルダ引き込みレバー３９が回転する際の中心となる軸、３５は長孔３６と係合するピンであり、ホルダ引き込みレバー３９の先端部付近に構成されている。３７は長孔３８と係合するピンであり、ホルダ引き込みレバー３９の中間付近に構成されている。４４はＭＤホルダ支持部材、６３はＭＤホルダ２５の保持兼ガイド部材６１（図１２）を回動可能に支持するための軸受部、４１はＭＤホルダ２５に構成されたガイドピンである。４５はＭＤホルダ支持部材４４の側面部に設けられたピンであり、このピン４５は第２スライド板６のカム面４６の上部の水平面４６ｂ上に乗り上げることでＭＤホルダ支持部材４４を水平に保持するように構成されている。また、ピン４５が第２スライド板６のカム面４６上を下方へ摺動して、カム面４６から離脱した状態では、ＭＤホルダ支持部材４４は第１４図に示すようにＭＤ挿入側を下方に傾けた状態になる。
【００２３】
第１１図において、１０１および１０２は搬送ローラ１１の上方かつＭＤホルダ２５の両側に配置された、ＣＤをその上面から案内するＣＤ用ガイドであり、ＣＤが挿入された場合には、挿入されたＣＤはその上面が前記ＣＤ用ガイド１０１，１０２にガイドされた状態で搬送ローラ１１により装置内部へ搬送される。
第１２図は、第１１図に保持兼ガイド部材６１を追加したこの実施の形態１のディスク装置の構成を立体的に示す構造図である。なお、第１２図において第１１と同一または相当の部分については同一の符号を付し説明を省略する。図において、４２は保持兼ガイド部材６１に構成されたガイド孔であり、前記ガイドピン４１と係合し、ＭＤホルダ２５を案内する。６２は保持兼ガイド部材６１の両側面部に突設された板状の板状軸体であり、前記ＭＤホルダ支持部材４４に構成された軸受部６３と係合している。
【００２４】
第１３図は、ＭＤ２４が装置内へ搬送された状態のこの実施の形態１のディスク装置の構成を立体的に示す構造図である。
第１４図は、ＭＤを再生しているときのこの実施の形態１のディスク装置の構成を立体的に示す構造図である。
第１５図は、第３スライド板２６が矢印ｅ方向へ移動中の状態を示すこの実施の形態１のディスク装置の部分側面図である。
第１６図は、中間部材５２が図示していない第３スライド板２６により矢印ｅ方向へ移動した状態を示すこの実施の形態１のディスク装置の部分側面図である。
第１７図は、中間部材５２が矢印ｄ方向へ回動した状態を示すこの実施の形態１のディスク装置の部分側面図である。
【００２５】
第１８図は、クランプレバー１７をＭＤ装填時に後方へ回動させるための構造を示すこの実施の形態１のディスク装置の部分平面図である。
第１９図は、この実施の形態１のディスク装置へＣＤ２００を挿入したときのＣＤ／ＭＤ挿入部の構成を立体的に示す構造図である。図において、１１１はＭＤ挿入時にＭＤホルダ２５の開口部を拡開させるための拡開レバーである。
第２０図は、この実施の形態１のディスク装置のＣＤ／ＭＤ挿入部の構成を立体的に示す構造図である。図において１１２はＣＤ／ＭＤ挿入部におけるＭＤの挿入口を覆って、塵などの侵入を防止するＭＤ挿入口遮蔽蓋であり、前記ＭＤの挿入口へ挿入されるＭＤと当接し矢印Ｑ方向へ回動可能に構成されている。なお、このＭＤ挿入口遮蔽蓋１１２はＣＤ／ＭＤ挿入部へＭＤが挿入された場合には、その挿入されたＭＤの先端の辺と当接するが、挿入されたＣＤとは当接することがないように構成されている。
第２１図は、前記ＭＤの挿入口へＭＤ２４が挿入される状態を立体的に示した構造図である。
【００２６】
第２２図は、ＭＤ挿入口遮蔽蓋１１２がＭＤの挿入口へ挿入されるＭＤ２４と当接し矢印Ｑ方向へ回動し、ＭＤホルダ２５の開口部を拡開させた状態を立体的に示す構造図である。図に示すように、ＭＤ挿入口遮蔽蓋１１２の一方の側面にはピン１１２ａが設けられており、ＭＤの挿入口へ挿入されたＭＤ２４の先端の辺とＭＤ挿入口遮蔽蓋１１２が当接し、矢印Ｑ方向へ回動したＭＤ挿入口遮蔽蓋１１２の前記ピン１１２ａが拡開レバー１１１の一端部を上方へ押し上げることにより、拡開レバー１１１は軸１１１ａを中心に回動し、拡開レバー１１１の他端が、ＭＤホルダ２５の開口部を構成するＭＤホルダ２５の下側に配置されているＭＤホルダ開口部構成部材２５ａの突片２５ｂと当接する。そして、ＭＤホルダ開口部構成部材２５ａは矢印ｒ方向へ開き、ＭＤホルダ２５の開口部を拡開させ、ＭＤ２４のＭＤホルダ２５の開口部への挿入を容易にするように構成されている。
第２３図および第２４図は、このようにして拡開されたＭＤホルダ２５の開口部へＭＤ２４が挿入された状態を立体的に示す構造図である。
【００２７】
なお、以上説明した構成において請求の範囲でいうＣＤ搬送機構は搬送ローラ１１およびギアユニットＧなどに対応し、クランプ機構は小径ディスク当接ピン１、大径ディスク当接ピン２、レバー３、係合片３ａ，４ａ、第１スライド板４、第２スライド板６、ピン１５、クランプレバー支持部材１７ａ、クランプレバー１７およびクランパー１９などに対応し、ＭＤ搬送機構はＭＤホルダ２５、連動レバー３３、ホルダ引き込みレバー３９、ガイドピン４１、ガイド孔４２および保持兼ガイド部材６１などに対応し、クランプレバー待避機構はクランプレバー１７、連動レバー３３、ホルダ引き込みレバー３９などに対応し、搬送ローラ移動機構は第１スライド板４、第２スライド板６、搬送ローラ支持レバー１２、昇降アーム１３、ピン１４およびＳ字状長孔５５などに対応する。また、搬送ローラ突き当たり回避機構はピン２１、レバー２２、カム面２２ａなどに対応する。
【００２８】
次に動作について説明する。
（ＣＤ装填動作）
ＣＤをディスク装置へ挿入すると、ＣＤが挿入されたことをセンサが検知する。この結果、図示していない駆動モータが作動してギアユニットＧを駆動し、搬送ローラ１１を第７図に示すａａ方向に回転させる。
この結果、挿入されたＣＤは搬送ローラ１１により、さらに奥へ搬送される。
この状態において、挿入されたＣＤが小径ディスクであると、この小径ディスクの外周部が小径ディスク当接ピン１に当接する。一方、挿入されたＣＤが大径ディスクであると、この大径ディスクの外周部が大径ディスク当接ピン２に当接する。
【００２９】
ＣＤは、その外周部が小径ディスク当接ピン１または大径ディスク当接ピン２に当接した状態で、搬送ローラ１１によりさらに奥へ挿入され、ＣＤ２００の中心がターンテーブルの中心上まで来る。この結果、第７図に示すように、挿入されたＣＤ２００によりレバー３は支点３ｂを中心にして矢印ａ方向へ回動する。
【００３０】
レバー３が矢印ａ方向へ回動すると、係合片３ａが矢印ｂ方向へ移動し、第１スライド板４の係合片４ａと当接し、さらに第１スライド板４を矢印ｅ方向へスライドさせる。
この結果、第３図に示すように、第１スライド板４に形成されたラック部８がギア９と噛み合い、左回りに回転しているギア９により第１スライド板４をさらに矢印ｅ方向へスライドさせる。
【００３１】
第１スライド板４が矢印ｅ方向へスライドすると、第１スライド板４に構成されたピン５は第２スライド板６に形成されたスリット７の搬送ローラ１１側の端部に当接し、第２スライド板６を矢印ｅ方向へスライドさせる。
この結果、第２スライド板６に形成されたラック部１０もギア９と噛み合って、ギア９は第１スライド板４および第２スライド板６を矢印ｅ方向へスライドさせる。
【００３２】
第２スライド板６が矢印ｅ方向へスライドされると、第２スライド板６に形成されたＳ字形状の長孔５５と係合している、第８図に示す昇降アーム１３の延長部１３ａに構成されたピン１４は、第９図に示すようにＳ字形状の長孔５５の上側の端部へスライドされ、この結果、第８図に示すように昇降アーム１３は軸１３ｂを中心にして他印Ｃ方向へ回動し、搬送ローラ支持レバー１２を矢印Ｙ方向へ回動させ、搬送ローラ１１を第９図に示すように下降させる。
【００３３】
一方、第２スライド板６の矢印ｅ方向へのスライドにより、第２スライド板６に構成されたピン１５も矢印ｅ方向へ移動するため、第３図に示すようにクランプレバー支持部材１７ａに形成されているカム面１６と当接していた前記ピン１５は、カム面１６上を摺動し、第９図に示すようにピン１５はカム面１６から外れる。
【００３４】
この結果、クランプレバー支持部材１７ａ、中間部材５２およびクランプレバー１７は、第７図に示す矢印Ｄ方向へ回動し、第１０図に示すように、クランプレバー１７の先端部に構成されたクランパー１９がターンテーブル上のＣＤ２００を上方からクランプする。
【００３５】
（ＣＤ取り出し動作）
このＣＤ取り出し動作においては、前記駆動モータはＣＤ装填動作時とは逆の方向へ回転する。このため、ギア９は第９図に示す状態で右回りで回転し、第１スライド板４および第２スライド板６を矢印Ｅ方向へスライドさせる。
第２スライド板６が矢印Ｅ方向へスライドすると、第２スライド板６に構成されているピン１５がクランプレバー支持部材１７ａのカム面１６と当接し、クランプレバー支持部材１７ａを回動軸１８を中心に矢印Ｄ方向へ回動させ、第３図に示す状態となり、クランパー１９とターンテーブルとによるＣＤ２００の挟持を開放し、クランプレバー１７とＣＤ２００との関係は第７図に示すようになる。
一方、第２スライド板６の矢印Ｅ方向の移動により、Ｓ字形状の長孔５５と係合しているピン１４は、第９図に示す状態からＳ字形状の長孔５５内を摺動してＳ字形状の長孔５５の下側の端部へ移動し、この結果、昇降アーム１３は第８図に示す矢印ｃ方向へ回動し、搬送ローラ１１が上昇してＣＤ２００の裏面に当接し、搬送ローラ支持レバー１２と搬送ローラ１１は第３図に示す状態となる。
このとき、搬送ローラ１１は作動している駆動モータによりギアユニットＧが駆動し第７図に示すＡＡ方向に回転しているため、回転している搬送ローラ１１によりＣＤ２００は装置の外へ排出される。
【００３６】
そして、第１スライド板４のラック部８と第２スライド板６のラック部１０がギア９から離脱すると、図示していないバネにより第１スライド板４および第２スライド板６は矢印Ｅ方向へさらに移動し、第１スライド板４および第２スライド板６は第３図に示す初期状態の位置へ戻る。
【００３７】
以上のＣＤ排出時の動作は、小径ディスクおよび大径ディスクともに共通であるが、小径ディスクの場合には上昇した搬送ローラ１１が小径ディスクのエッジに突き当たる可能性があるため、第２スライド板６の矢印Ｅ方向の移動により、第２スライド板６に設けたピン２１のカム面２２ａに対する作用により、レバー２２を軸２３を中心にして矢印Ｍ方向へ回動させ、小径ディスクの搬送ローラ当接側の周辺部を上方へ持ち上げることで、小径ディスクのエッジに搬送ローラ１１が突き当たることのないようにする。
【００３８】
（ＭＤ装填動作）
ＭＤ２４をＣＤ／ＭＤ挿入部におけるＭＤの挿入口へ挿入すると、第２２図に示すように、挿入されたＭＤ２４の先端の辺がＭＤ挿入口遮蔽蓋１１２と当接する。この結果、ＭＤ挿入口遮蔽蓋１１２は矢印Ｑ方向へ回動し、拡開レバー１１１の一端を上方へ持ち上げる。拡開レバー１１１の他端は軸１１１ａを中心にして回動し、突片２５ｂを下方へ押し下げるため、ＭＤホルダ開口部構成部材２５ａは矢印ｒ方向へ開き、ＭＤホルダ２５の開口部を拡開させる。この状態で、ＭＤ２４をさらに押し込むと、ＭＤ２４はＭＤホルダ２５に挿入される。第１１図はこの状態を示している。
【００３９】
ＭＤホルダ２５にＭＤ２４が挿入されると、図示していないセンサがこれを検出し、図示していない前記駆動モータを動作させ、ギアユニットＧを駆動させる。この結果、図示しない部材により第３スライド板２６が第１５図に示すように矢印ｅ方向へ移動し、第３スライド板２６に形成されたラック部２７がギア２８に噛み合い、以後、ギア２８の回転により第３スライド板２６は矢印ｅ方向へ移動される。中継部材４７のピン４８はＳ字形状の長孔４９と係合しているため、第１６図に示すように矢印ｊ方向に回動し、中継部材４７のピン５０が係合した円弧形状の長孔５１を有した中間部材５２が第３スライド板２６と同方向へ移動する。
【００４０】
第３スライド板２６の矢印ｅ方向の移動により、第３スライド板２６の係合片４３が第１スライド板４の係合片４ａを押し、第１スライド板４を矢印ｅ方向へ移動させる。この結果、第１スライド板４と第２スライド板６の動きは、前記ＣＤ装填時で説明した動作と同様になる。
一方、中間部材５２の移動に伴い、第１８図に示す中間部材５２に構成されたピン５３が、クランプレバー１７のスリット５４の端部と当接し、クランプレバー１７が回転軸２９を中心にして矢印ｆ方向へ回動され、ＭＤ２４の装填にじゃまにならない後方位置へ移動する。
【００４１】
このクランプレバー１７の後方への移動により、軸３０を中心にして連動レバー３３が矢印ｇ方向へ移動し、これに伴い軸３４を中心にしてホルダ引き込みレバー３９は矢印ｈ方向へ回動し、さらにホルダ引き込みレバー３９の先端部のピン３５と係合する長孔３６が形成されたＭＤホルダ２５を装置内へ引き込む。この状態を示したのが第１３図である。
ＭＤホルダ２５は、第１２図に示すようにガイドピン４１とガイド孔４２により位置ずれすることなく装置内へ引き込まれる。
ＭＤ２４は装置内へ引き込まれる過程で図示していない部材によりスライド蓋２４ａが開き、装置内の所定の位置まで引き入れられる。
第２スライド板６の矢印ｅ方向の動きに伴う第２スライド板６の移動により、ＭＤホルダ支持部材４４の側面部に設けられたピン４５は、第２スライド板６に形成されたカム面４６を下方へ摺動し、この結果、ＭＤホルダ支持部材４４は第１４図に示すようにＭＤ挿入側を矢印ｉ方向に傾けた状態になる。そして、ＭＤ２４はターンテーブル上へ載置された状態になる。
【００４２】
このとき保持兼ガイド部材６１の両側面部に突設された板状の板状軸体６１は、第１２図に示すようにＭＤホルダ支持部材４４に構成された軸受部６３に対し回動可能に係合しているため、ＭＤホルダ支持部材４４が矢印ｉ方向に傾いても保持兼ガイド部材６１は水平な状態になることができ、これによりＭＤホルダ２５に保持されたＭＤ２４も第１４図に示すように水平にターンテーブル上に載置可能である。
また、第１４図に示すようにＭＤ２４がターンテーブル上へ載置されたときには、前記ＣＤ装填時での説明と同様に搬送ローラ１１は下降した状態になる。
【００４３】
（ＭＤ取り出し動作）
ターンテーブル上に載置したＭＤ２４を装置外部へ取り出す場合には、前記図示していない駆動モータは、ＭＤ装填時とは逆の方向へ回転する。この結果、第１スライド板４および第２スライド板６は矢印Ｅ方向へ移動され、第１４図の状態から第１３図の状態になり、第３スライド板２６が矢印Ｅ方向へ移動され、ＭＤ２４はＭＤホルダ２５に保持されて第１２図の状態になり、ＣＤ／ＭＤ挿入部におけるＭＤの挿入口からＭＤ挿入口遮蔽蓋１１２を第２１図に示す矢印ｑ方向へ開いた状態で装置外部へ取り出し可能な状態になる。
【００４４】
以上のように、この実施の形態１によれば、１つの駆動モータを駆動元として、高い信頼性で大径ディスクおよび小径ディスク、さらにはカートリッジ内蔵タイプのディスクであるＭＤの装填と取り出しが可能になるディスク装置が得られる効果がある。
また、この実施の形態１によれば、ＣＤ用ガイド１０１，１０２をＭＤホルダ２５の両側へ配置した構成を採用したので、装置の厚みを薄く出来るディスク装置が得られる効果がある。
【００４５】
また、この実施の形態１によれば、ＭＤの挿入口からＭＤを挿入する際にＭＤホルダ２５の開口部を拡開するように構成したので、ＭＤホルダ２５へのＭＤの装填が容易になり、使い勝手のよいディスク装置が得られる効果がある。
【産業上の利用可能性】
【００４６】
以上のように、この発明に係るディスク装置は、大きさの異なるディスク、およびカートリッジ内蔵型のディスクであるＭＤが利用できる車載用のディスク装置として用いるのに適している。
【図面の簡単な説明】
【００４７】
【図１】従来のディスク装置の光ピックアップ部のスライド送り機構の構造を示す斜視図である。
【図２】この発明の実施の形態１によるディスク装置の構成を立体的に示す構造図である。
【図３】この発明の実施の形態１によるディスク装置の内部構成部材を省いた状態の視点を変えた構造図である。
【図４】この発明の実施の形態１によるディスク装置において第３スライド板を取り外した状態のギアユニット側から見た側面図である。
【図５】この発明の実施の形態１によるディスク装置における中間部材を示す部品図である。
【図６】この発明の実施の形態１によるディスク装置における中継部材を示す部品図である。
【図７】この発明の実施の形態１によるディスク装置において大径ディスクを挿入したときの構成を立体的に示す構造図である。
【図８】この発明の実施の形態１のディスク装置の構成を示す側面図である。
【図９】この発明の実施の形態１のディスク装置において小径ディスクのエッジへ搬送ローラが突き当たることのないようにするための構成を立体的に示す構造図である。
【図１０】この発明の実施の形態１のディスク装置において大径ディスクの中心がターンテーブル上まで搬送された状態を立体的に示す構造図である。
【図１１】この発明の実施の形態１のディスク装置においてＭＤを装填する際に機能する構成部材を追加した構成を立体的に示す構造図である。
【図１２】この発明の実施の形態１のディスク装置において保持兼ガイド部材を追加した構成を立体的に示す構造図である。
【図１３】この発明の実施の形態１のディスク装置においてＭＤが装置内へ搬送された状態の構成を立体的に示す構造図である。
【図１４】この発明の実施の形態１のディスク装置においてＭＤを再生しているときの構成を立体的に示す構造図である。
【図１５】この発明の実施の形態１のディスク装置において第３スライド板が矢印ｅ方向へ移動中の状態を示す部分側面図である。
【図１６】この発明の実施の形態１のディスク装置において中間部材が図示していない第３スライド板により矢印ｅ方向へ移動した状態を示す部分側面図である。
【図１７】この発明の実施の形態１のディスク装置において中間部材が矢印ｄ方向へ回動した状態を示す部分側面図である。
【図１８】この発明の実施の形態１のディスク装置におけるクランプレバーをＭＤ装填時に後方へ回動させるための構造を示す部分平面図である。
【図１９】この発明の実施の形態１のディスク装置へＣＤを挿入したときのＣＤ／ＭＤ挿入部の構成を立体的に示す構造図である。
【図２０】この発明の実施の形態１のディスク装置のＣＤ／ＭＤ挿入部の構成を立体的に示す構造図である。
【図２１】この発明の実施の形態１のディスク装置の挿入口へＭＤが挿入される状態を立体的に示した構造図である。
【図２２】この発明の実施の形態１のディスク装置のＭＤホルダの開口部を拡開させた状態を立体的に示す構造図である。
【図２３】この発明の実施の形態１のディスク装置の拡開されたＭＤホルダの開口部へＭＤが挿入された状態を立体的に示す構造図である。
【図２４】この発明の実施の形態１のディスク装置の拡開されたＭＤホルダの開口部へＭＤが挿入された状態を立体的に示す構造図である。
【図１】
0003749124.tif 000002
【図２】
0003749124.tif 000003
【図３】
0003749124.tif 000004
【図４】
0003749124.tif 000005
【図５】
0003749124.tif 000006
【図６】
0003749124.tif 000007
【図７】
0003749124.tif 000008
【図８】
0003749124.tif 000009
【図９】
0003749124.tif 000010
【図１０】
0003749124.tif 000011
【図１１】
0003749124.tif 000012
【図１２】
0003749124.tif 000013
【図１３】
0003749124.tif 000014
【図１４】
0003749124.tif 000015
【図１５】
0003749124.tif 000016
【図１６】
0003749124.tif 000017
【図１７】
0003749124.tif 000018
【図１８】
0003749124.tif 000019
【図１９】
0003749124.tif 000020
【図２０】
0003749124.tif 000021
【図２１】
0003749124.tif 000022
【図２２】
0003749124.tif 000023
【図２３】
0003749124.tif 000024
【図２４】
0003749124.tif 000025